(57)【要約】【課題】矩形中空ワークの表裏面を傷付けることなく一対の研磨工具で平滑に研磨加工することができる治具の提供。【解決手段】    左右方向に長尺状のワーク治具載置基台2と、この上面を前後方向に移動可能に設けられたワーク治具基台1aよりなる矩形中空ワーク用治具1であって、ワーク治具基台1aの上面には矩形中空ワークw底部が挿入可能な凹部1bを等間隔に複数設け、この凹部1bの中央にワークwの底部の中空部を貫通可能な支持起立板1eを設け、前記凹部1bの左右両側面に設けた溝1cにワークwの肩部もしくは左右頭頂部を抑圧する板バネ起立片の一対1dｌ，1dｒを起立させて設けた治具1。【選択図】図２
2014004661.tif 000002
【特許請求の範囲】
【請求項１】
左右方向に延びる長尺状のワーク治具載置基台（２）と、この治具載置基台（２）の上面をこの治具載置基台（２）の前後方向に移動可能に設けられたワーク治具基台（１ａ）よりなる矩形中空ワーク用治具（１）であって、
前記ワーク治具基台（１ａ）の上面には矩形中空ワーク（ｗ）底部（ｗｂ）が挿入可能な凹部（１ｂ）を等間隔に複数設けるとともに、
この凹部（１ｂ）の左右両側面に設けた溝（１ｃ）に前記矩形中空ワーク（ｗ）の肩部（ｗｓ）もしくは左右頭頂部（ｗｔ，ｗｔ）を抑圧する板バネ起立片の一対（１ｄｌ，１ｄｒ）を起立させて設けたことを特徴とする、
矩形中空ワーク用治具（１）。
【請求項２】
左右方向に延びる長尺状のワーク治具載置基台（２）と、この治具載置基台（２）の上面をこの治具載置基台（２）の前後方向に移動可能に設けられたワーク治具基台（１ａ）よりなる矩形中空ワーク用治具（１）であって、
前記ワーク治具基台（１ａ）の上面には前記矩形中空ワーク（ｗ）底部（ｗｂ）が挿入可能な凹部（１ｂ）を等間隔に複数設けるとともに、この凹部（１ｂ）の中央に前記矩形中空ワークの底部（ｗｂ）の中空部（ｖｂ）を貫通可能な支持起立板（１ｅ）を設け、
前記凹部（１ｂ）の左右両側面に設けた溝（１ｃ）に前記矩形中空ワークの肩部（ｗｓ）もしくは左右頭頂部（ｗｔ，ｗｔ）を抑圧する板バネ起立片の一対（１ｄｌ，１ｄｒ）を起立させて設けたことを特徴とする、矩形中空ワーク用治具（１）。
【請求項３】
左右方向に延びる長尺状のワーク治具載置基台（２）と、この治具載置基台（２）の上面をこの治具載置基台（２）の前後方向に移動可能に設けられたワーク治具基台（１ａ）よりなる矩形中空ワーク用治具（１）であって、
前記ワーク治具基台（１ａ）の上面には矩形中空ワーク（ｗ）底部（ｗｂ）が挿入可能な凹部（１ｂ’）を設けるとともに、この凹部（１ｂ’）の中央に前記矩形中空ワーク（ｗ）の底部（ｗｂ）の中空部(ｖｂ)を貫通可能な支持起立板（１ｅ）を設け、
前記凹部（１ｂ’）の前後壁面に弾発支持手段の一対（１ｓｆ，１ｓｂ）を前記矩形中空ワークの底部（ｗｂ）に当接する位置に等間隔に複数対設けたことを特徴とする、矩形中空ワーク用治具（１）。
【発明の詳細な説明】
【技術分野】
【０００１】
本発明は、化粧品容器、ウイスキーボトル、丸薬容器本体、点火ライターのハウジング、ＮａＩ（Ｔｌ）シンチレーション検出器のアルミニウムケース等の有底の矩形中空ワーク（被加工物）、電子部品用ハウジング材等の底部および頭頂部の両方が開放されている矩形中空ワーク（被加工物）の胴部の前後表面を一対の研磨工具（ロール状砥石または総形砥石）で研磨加工し、平滑な表面にドレス成形仕上げする際に使用される矩形中空ワーク用治具に関する。本発明の矩形中空ワーク用治具を使用すれば、複数の小形の矩形中空ワークの表裏面を研磨工具により傷付けることなく同時にドレス成形仕上げできる利点を有する。
【背景技術】
【０００２】
上記の矩形中空ワークは、消費者の購買意欲を高めるため加工ワークされた表裏面が光沢を有する表面平均粗さ（Ｒａ）が０．１〜１．０μｍにドレス成形仕上げされることが要求されている。また、表裏面に紫外線硬化型インクで凹凸のデザイン模様塗膜を形成させる際に光沢よいデザイン模様塗膜を得るためにも塗膜が接着している基材表面が上記表面平均粗さを有していることが必要である。
【０００３】
ワークを一対の研磨工具でドレス仕上げする方法として、特開２００２−３７２０４４公報（特許文献１）は、ワーク（案内レール）の両側面を一対の総形砥石で研削加工（ドレス加工）する方法を図示する。
【０００４】
また、特開２００４−１１２８公報（特許文献２）は、インデックステーブル上に４個のワーク治具を等間隔に載置し、このワーク治具のそれぞれにワークを保持させ、インデックステーブルを９０度回転させてワークの位置決めを行い、位置きめされたワーク上面を１個の砥石カッター車で溝研削加工するコンプレサーシリンダ用溝研削盤を開示する。
【０００５】
さらに、特開２００４−２５５４８５公報（特許文献３）は、一対の高さ方向位置合わせコラムを上下方向に設けるとともに、側面より内側に向けて位置調整微動抑えネジを複数設けた前枠と後枠、前記前枠と後枠の間にワ−ク左端を圧押しする左圧押し枠とワ−ク右端を圧押しする右圧押し枠であってこれら圧押し枠の高さは前記前枠および後枠の高さよりは低い左圧押し枠と右圧押し枠、左圧押し枠と右圧押し枠を前記前枠および後枠に固定する固定具とを備えるワ−ク治具であって、平板状ワ−クはその前後側面を前枠および後枠に備えられた位置調整微動抑えネジで圧押しされ、左右方向を左圧押し枠と右圧押し枠で圧押しされて固定され、このワ−ク治具が作業テ−ブル上に載置されたときは平板状ワ−クの下面は作業テ−ブル上面より離間して置かれることを特徴とする、ワ−ク治具を提案する。
【０００６】
一方、ワークの左右両端面を弾発支持手段で弾発的に支持するワーク保持機構（治具）も特開２００８−１８３６７２公報（特許文献４）に開示されている。
【０００７】
前記特許文献１に記載の一対の研磨工具を用いて矩形中空ワーク（被加工物）の表裏面を同時に表面研磨加工する際、矩形中空ワークの複数の位置決めを行うワーク治具が必要となる。
【先行技術文献】
【特許文献】
【０００８】
【特許文献１】特開２００２−３７２０４４公報
【特許文献２】特開２００４−１１２８公報
【特許文献３】特開２００４−２５５４８５公報
【特許文献４】特開２００８−１８３６７２公報
【発明の概要】
【発明が解決しようとする課題】
【０００９】
矩形中空ワークの表裏面を研磨工具でドレス成形加工する際、ワークが中空であるため、ワーク上方が研磨加工中に振動で前後に振れワークの変形の原因となり、ワーク治具を左右のいずれか一方向に移動して一対の研磨工具間にワークを挿入させる際、ワークの側面もしくはコーナー部が研磨工具により傷を付けられ、不良品となる確率が２５％と高いことが見出された。
【００１０】
本発明の目的は、矩形中空ワークを、その前後（表裏）方向および両側面方向に揺れのないように固定し、矩形中空ワークの位置決め可能な治具の提供にある。
【課題を解決するための手段】
【００１１】
本発明の請求項１の発明は、ワークテーブル上に搭載される左右方向に延びる長尺状のワーク治具載置基台（２）と、この治具載置基台（２）の上面をこの治具載置基台（２）の前後方向に移動可能に設けられたワーク治具基台（１ａ）よりなる矩形中空ワーク用治具（１）であって、
前記ワーク治具基台（１ａ）の上面には矩形中空ワーク（ｗ）底部（ｗｂ）が挿入可能な凹部（１ｂ）を等間隔に複数設けるとともに、
この凹部（１ｂ）の左右両側面に設けた溝（１ｃ）に前記矩形中空ワーク（ｗ）の肩部（ｗｓ）もしくは左右頭頂部（ｗｔ，ｗｔ）を抑圧する板バネ起立片の一対（１ｄｌ，１ｄｒ）を起立させて設けたことを特徴とする、
矩形中空ワーク用治具（１）を提供するものである。
【００１２】
本発明の請求項２の発明は、矩形中空ワーク（ｗ）が底部開放形状のものであり、ワークテーブル上に搭載される左右方向に延びる長尺状のワーク治具載置基台（２）と、この治具載置基台（２）の上面をこの治具載置基台（２）の前後方向に移動可能に設けられたワーク治具基台（１ａ）よりなる矩形中空ワーク用治具（１）であって、
前記ワーク治具基台（１ａ）の上面には前記矩形中空ワーク（ｗ）底部（ｗｂ）が挿入可能な凹部（１ｂ）を等間隔に複数設けるとともに、この凹部（１ｂ）の中央に前記矩形中空ワークの底部（ｗｂ）の中空部（ｖｂ）を貫通可能な支持起立板（１ｅ）を設け、
前記凹部（１ｂ）の左右両側面に設けた溝（１ｃ）に前記矩形中空ワークの肩部（ｗｓ）もしくは左右頭頂部（ｗｔ，ｗｔ）を抑圧する板バネ起立片の一対（１ｄｌ，１ｄｒ）を起立させて設けたことを特徴とする、
矩形中空ワーク用治具（１）を提供するものである。
【００１３】
本発明の請求項３の発明は、矩形中空ワーク（ｗ）が底部開放形状のものであり、ワークテーブル上に搭載される左右方向に延びる長尺状のワーク治具載置基台（２）と、この治具載置基台（２）の上面をこの治具載置基台（２）の前後方向に移動可能に設けられたワーク治具基台（１ａ）よりなる矩形中空ワーク用治具（１）であって、
前記ワーク治具基台（１ａ）の上面には矩形中空ワーク（ｗ）底部（ｗｂ）が挿入可能な凹部（１ｂ’）を設けるとともに、この凹部（１ｂ’）の中央に前記矩形中空ワーク（ｗ）の底部（ｗｂ）の中空部(ｖｂ)を貫通可能な支持起立板（１ｅ）を設け、
前記凹部（１ｂ’）の前後壁面に弾発支持手段の一対（１ｓｆ，１ｓｂ）を前記矩形中空ワークの底部（ｗｂ）に当接する位置に等間隔に複数対設けたことを特徴とする、
矩形中空ワーク用治具（１）を提供するものである。
【発明の効果】
【００１４】
矩形中空ワーク用治具１に板バネ起立片の一対１ｄｌ，１ｄｒまたは、支持起立板１ｅを設けたことにより研磨加工時およびワーク移動時のワークの前後の揺れおよび左右の横揺れが防止される。
【００１５】
矩形中空ワーク用治具１に支持起立板１ｅおよび弾発支持手段の一対１ｓｆ，１ｓｂを設けたことにより研磨加工時およびワーク移動時のワークの前後の揺れおよび左右の横揺れが防止される。
【図面の簡単な説明】
【００１６】
【図１】図１は有底の矩形中空ワーク用の治具の斜視図である。
【図２】図２は底部が開放されている矩形中空ワーク用の治具の斜視図である。
【図３】図３は図２の治具に固定されたワークを両面研磨加工している状態を示す透視図である。
【図４】図４は底部および頭頂部の双方が開放されている矩形中空ワーク用の治具の斜視図である。
【図５】図５は図４の治具の一部を透視した斜視図である。
【図６】図６は矩形中空ワークの形状例を示す斜視図である。
【発明を実施するための形態】
【００１７】
本発明の治具に固定される矩形中空ワークの例としては、図６ａに示す肩部Ｗｓに傾斜を有するとともに頭頂部にキャップ固定用中空止め突起Ｗｆを有する化粧品容器、図６ｂに示すＮａＩ（Ｔｌ）シンチレーション検出器の底部ｗｂ開放のアルミニウムケース、図６ｃに示す電子部品用の底部ｗｂおよび頭頂部ｗｔの双方が開放ｖｂ，ｖｔされているハウジング材が挙げられる。
【００１８】
図１に示す治具１は、上記化粧品容器(図６ａ参照)ｗの固定に用いるもので、左右方向に長尺状に延びるワーク治具載置基台２と、この治具載置基台２の上面をこの治具載置基台２の前後方向に移動可能に設けられたワーク治具基台１ａを備え、前記ワーク治具基台１ａの上面には矩形中空ワーク底部ｗｂが挿入可能な凹部１ｂが等間隔に複数設けられるとともに、この凹部１ｂの左右両側面に設けた溝１ｃにワークの肩部Ｗｓを抑圧する板バネ起立片１ｄｌ，１ｄｒの一対を起立させて設けた(図２参照)構造となっている。
【００１９】
上記ワーク治具基台１ａは、回転自在に取り付けられたレバー３に備えられたロッド５の先に設けられた押部材４に前部を押されて前記治具載置基台２の上面をこの治具載置基台２の後方向に移動され、前記治具載置基台２の上面後側に設けられた係止部材２ａにワーク治具基台１ａの後面が当接して係止される。
【００２０】
図１においては、１０個のワークｗを挿入できる凹部１ｂを有するワーク治具基台１ａの１０台が治具載置基台２上に前後移動可能に設けられた矩形中空ワーク用治具１が示されている。よって、この矩形中空ワーク用治具１に１００個のワークｗを固定し、回転している一対のロール状砥石または総形砥石ｇ，ｇ間にワークｗを移動させる(図３参照)ことにより１００個のワークの胴部表裏面を研磨加工することが可能である。
【００２１】
ワーク治具基台１ａの凹部１ｂにワーク底部ｗｂを挿入する際、前記板バネ起立片１ｄｌ，１ｄｒの一対は双方または片方が指で押し拡げられてワークは凹部１ｂ内に間挿され、前記指を板バネ起立片１ｄより離すことにより前記板バネ起立片１ｄｌ，１ｄｒの上部はワークの肩部ｗｓを圧止めする。よって、ワークｗの左右の両側面方向の揺れが抑制されることとなる。
【００２２】
図２に示す治具１は、前記ＮａＩ（Ｔｌ）シンチレーション検出器のアルミニウムケース（図６ｂ参照）ｗの固定に用いるもので、左右方向に長尺状に延びるワーク治具載置基台２と、この治具載置基台２の上面をこの治具載置基台２の前後方向に移動可能に設けられたワーク治具基台１ａを備え、前記ワーク治具基台１ａの上面には矩形中空ワークｗ底部が挿入可能な凹部１ｂが等間隔に複数設けとともに、この凹部１ｂの中央に前記ワークｗの底部の中空部（開放部）を貫通する支持起立板１ｅを設けるとともに、この凹部１ｂの左右両側面に設けた溝１ｃにワークの肩部Ｗｓを抑圧する板バネ起立片１ｄｌ，１ｄｒの一対を起立させて設けた構造となっている。
【００２３】
簡略して説明すれば、図１に示す治具１において、更に、前記凹部１ｂの中央に前記ワーク底部ｗｂの中空部ｖｂを貫通する支持起立板１ｅを設けたことを特徴とする治具１である。
【００２４】
前記板バネ起立片１ｄｌ，１ｄｒの一対は双方または片方が指で押し拡げられてアルミニウムケースｗの底部より支持起立板１ｅに挿入してワークｗを前記凹部１ｂ内に間挿し、ついで、前記指を板バネ起立片１ｄより離すことにより前記板バネ起立片１ｄｌ，１ｄｒの上部はワークｗの頭頂の左右部分を圧止めする。よって、ワークｗの左右の両側面方向の揺れが抑制されるとともに、ワークｗの前後方向の揺れも抑制される。
【００２５】
図４および図５に示す治具１は、前記図６ｃに示す電子部品用ハウジング材ｗの固定に用いるもので、左右方向に長尺状に延びるワーク治具載置基台２と、この治具載置基台２の上面をこの治具載置基台２の前後方向に移動可能に設けられたワーク治具基台１ａを備え、前記ワーク治具基台１ａの上面にはワークｗの底部が挿入可能な凹部１ｂ’を設けるとともに、この凹部１ｂ’の中央に前記ワークｗの底部の中空部を貫通可能な支持起立板１ｅを設け、前記凹部１ｂ’の前後壁面に弾発支持手段の一対１ｓｆ，１ｓｂを前記ワークｗの底部に当接する位置に等間隔に複数対設けた構造の治具１である。
【００２６】
前記支持起立板１ｅにワークｗの底部より挿入してワークｗを前記凹部１ｂ’内に間挿し、ついで、前記弾発支持手段１ｓｆをネジ回し止めすることによりワーク底部ｗｂの前後は前記弾発支持手段の一対１ｓｆ，１ｓｂにより圧止めされる。よって、ワークｗの左右の両側面方向の揺れが抑制されるとともに、ワークｗの前後方向の揺れも抑制される。
【００２７】
上記弾発支持手段の一対１ｓｆ，１ｓｂは、ワークを搭載するワーク治具基台１ａの進行方向側のワーク底部ｗｂを押圧するように設ければ充分であるが、さらに、前記進行方向側とは逆側のワーク底部ｗｂを押圧する弾発支持手段の一対１ｓｆ，１ｓｂを設ければよりワークの前後の振れ防止効果は高まる。
【００２８】
図４においては、１３個のワークｗを挿入できる凹部１ｂ’を有するワーク治具基台１ａの５台が治具載置基台２上に前後移動可能に設けられた矩形中空ワーク用治具１が示されている。よって、この矩形中空ワーク用治具１に６５個のワークｗを固定し、回転している一対のロール状砥石または総形砥石ｇ，ｇ間にワークｗを移動させることにより６５個のワークの胴部表裏面を研磨加工することが可能である。
【産業上の利用可能性】
【００２９】
矩形中空ワークｗの前後、両側面の揺れを抑制できる治具１であるので、矩形中空ワークｗ複数の表裏面を一対の研磨工具により矩形中空ワークに傷や変形をもたらすことなく表面粗さが０．１〜１μｍの平坦な表面を有する研磨加工矩形中空ワークを得ることが可能となった。
【符号の説明】
【００３０】
ｗ  矩形中空ワーク
ｗｓ  ワーク肩部
ｗｂ  ワーク底部
ｗｔ  ワーク頭頂部
ｖｂ  ワーク底部の開口部
ｖｔ  ワーク頭頂部の開口部
ｇ  研磨工具
１  矩形中空ワーク用治具
１ａ  ワーク治具基台
１ｂ  凹部
１ｂ’  凹部
１ｃ  溝
１ｄｌ，１ｄｒ  板バネ起立片
２  治具載置基台
３  レバー
４  押部材
【図１】
2014004661.tif 000003
【図２】
2014004661.tif 000004
【図３】
2014004661.tif 000005
【図４】
2014004661.tif 000006
【図５】
2014004661.tif 000007
【図６】
2014004661.tif 000008